(57)【要約】【課題】  表示画面が小さくても、ユーザの所望とする画像情報の撮影位置を特定可能とする。【解決手段】  撮影対象の画像情報と、前記画像情報の撮影位置を識別するための位置識別情報とを関連付けて、第１記憶部１６ａに格納する格納部２５と、第１記憶部１６ａに格納された画像情報のうち、操作部１１を介したユーザからの指示に応じた画像情報を選択する選択部２７と、少なくとも、第１記憶部１６ａに格納された画像情報を表示部１７に表示する表示制御部２６とを備え、選択部２７により画像情報が選択された場合、表示制御部２６は、表示部１７における表示内容を、第１記憶部１６ａに格納された画像情報の表示から、前記選択された画像に関連付けされた前記位置識別情報に基づく撮影位置の表示へと切り替える。【選択図】  図１
2006072580.tif 000002
【特許請求の範囲】
【請求項１】
撮影対象の画像情報と、前記画像情報の撮影位置を識別するための位置識別情報とを関連付けて、第１記憶部に格納する格納手段と、
前記第１記憶部に格納された画像情報のうち、外部からの指示に応じた画像情報を選択する選択手段と、
少なくとも、前記第１記憶部に格納された画像情報を表示画面に表示する表示制御手段とを備え、
前記選択手段により画像情報が選択された場合、前記表示制御手段は、前記表示画面における表示内容を、前記第１記憶部に格納された画像情報の表示から、前記選択された画像に関連付けされた前記位置識別情報に基づく撮影位置の表示へと切り替えることを特徴とする電子機器。
【請求項２】
前記表示制御手段は、前記選択された画像に関連付けされた前記位置識別情報に基づく撮影位置の表示に加えて、前記選択された画像情報を表示することを特徴とする請求項１記載の電子機器。
【請求項３】
前記選択手段は、前記第１記憶部に格納された画像情報のうち、前記表示画面に表示されている画像情報であって、かつ、外部からの指示に応じた画像情報を選択することを特徴とする請求項１または２記載の電子機器。
【請求項４】
前記撮影対象の属性情報の入力を受け付ける属性入力受付手段を備え、
前記格納手段は、前記画像情報と前記位置識別情報と前記受け付けた属性情報とを関連付けて、前記第１記憶部に格納させることを特徴とする請求項１から３の何れか１項に記載の電子機器。
【請求項５】
複数の異なる属性情報が格納された第２記憶部と、
前記第２記憶部から、外部の指示に応じた属性情報を読み出す属性情報読出手段とを備え、
前記属性入力受付手段は、前記属性情報読出手段が読み出した属性情報を、前記撮影対象の属性情報として受け付けることを特徴とする請求項４記載の電子機器。
【請求項６】
前記第２記憶部に格納される属性情報は、カテゴリーに応じて格納されていると共に、各カテゴリーにおいて階層付けて格納されていることを特徴とする請求項５記載の電子機器。
【請求項７】
前記属性情報の指定を受け付ける属性指定受付手段を備え、
前記表示制御手段は、前記指定された属性情報に関連付けられた画像情報を、前記表示画面に表示することを特徴とする請求項４から６の何れか１項に記載の電子機器。
【請求項８】
前記格納手段は、前記属性情報に基づいて、前記属性情報に関連付けされた画像情報を階層付けて、前記第１記憶部に格納させると共に、
前記属性指定受付手段が属性情報の指定を受け付けた場合、前記表示制御手段は、前記受け付けた属性情報に基づいた階層の画像情報、および、前記階層よりも下位の階層の画像情報を表示画面に表示することを特徴とする請求項７記載の電子機器。
【請求項９】
電子的な地図が格納された第３記憶部を備え、
前記表示制御手段は、前記表示画面に前記地図を表示すると共に、前記選択された画像情報に関連付けされた前記位置識別情報に基づく撮影位置を前記地図上に表示することを特徴とする請求項１から８の何れか１項に記載の電子機器。
【請求項１０】
自機器の現在位置を取得する現在位置取得手段を備え、
前記表示制御手段は、前記取得した自機器の現在位置から、前記選択された画像に関連付けされた前記位置識別情報に基づく撮影位置への経路を、前記地図上に表示することを特徴とする請求項９記載の電子機器。
【請求項１１】
無線ＬＡＮを介して、前記撮影位置を含んだ無線ＬＡＮの通信領域を識別するための識別情報を、前記位置識別情報として取得する位置識別情報取得手段を備えていることを特徴とする請求項１から１０の何れか１項に記載の電子機器。
【請求項１２】
前記位置識別情報取得手段による位置識別情報の取得に伴い、前記無線ＬＡＮを介して、前記撮影位置を含んだ無線ＬＡＮの通信領域に関連する関連情報を取得する関連情報取得手段を備えていることを特徴とする請求項１１記載の電子機器。
【請求項１３】
前記位置識別情報に基づいて、前記無線ＬＡＮを管理する情報管理装置から、前記撮影位置を特定する情報を取得する特定情報取得手段を備えることを特徴とする請求項１１または１２記載の電子機器。
【請求項１４】
全地球測位システムを用いて位置識別情報を取得する位置識別情報取得手段を備え、
前記位置識別情報として、前記全地球測位システムにより得られる緯度および経度の情報を用いることを特徴とする請求項１から１０の何れか１項に記載の電子機器。
【請求項１５】
電話機能および／または電子メール機能を備え、通信基地局を介して、他の電子機器と通信を行うと共に、
前記位置識別情報として、前記通信基地局の識別情報を用いることを特徴とする請求項１から１０の何れか１項に記載の電子機器。
【請求項１６】
前記撮影対象は商品であって、前記属性情報は商品の種類を示す情報であることを特徴とする請求項４から８の何れか１項に記載の電子機器。
【請求項１７】
自装置が管理する各送受信装置に関する各位置情報を記憶する記憶手段と、
前記送受信装置と通信を行う電子機器から該送受信装置に関する位置情報の要求を受けた場合に、前記位置情報を、撮影位置を特定する情報として前記電子機器に送信する送信手段とを備えることを特徴とする情報管理装置。
【請求項１８】
無線ＬＡＮを介して、前記電子機器と通信を行うと共に、
前記記憶手段は、前記無線ＬＡＮの通信領域に関連する関連情報を記憶し、
前記送信手段は、前記電子機器から前記関連情報の要求があった場合、前記関連情報を前記電子機器に送信することを特徴とする請求項１７記載の情報管理装置。
【請求項１９】
請求項１記載の電子機器と、請求項１７記載の情報管理装置とを備えることを特徴とする通信システム。
【請求項２０】
撮影対象の画像情報と、前記画像情報の撮影位置を識別するための位置識別情報とを関連付けて、第１記憶部に格納する格納ステップと、
前記第１記憶部に格納された画像情報のうち、外部からの指示に応じた画像情報を選択する選択ステップと、
表示画面における表示内容を、前記第１記憶部に格納された画像情報の表示から、前記選択された画像に関連付けされた前記位置識別情報に基づく撮影位置の表示へと切り替える切替ステップとを備えることを特徴とする撮影位置表示方法。
【請求項２１】
請求項１から１６の何れか１項に記載の電子機器の各手段としてコンピュータを機能させるためのプログラム。
【請求項２２】
請求項２１記載のプログラムを記録したコンピュータ読み取り可能な記録媒体。
【発明の詳細な説明】
【技術分野】
【０００１】
本発明は、画像情報の取得が可能な電子機器、所定の情報を管理すると共に他の装置と通信を行う情報管理装置、通信システム、撮影位置表示方法、プログラム、および、プログラムを記憶したコンピュータ読み取り可能な記録媒体に関するものである。
【背景技術】
【０００２】
従来から、全地球測位システム（ＧＰＳ：Global Positioning Systems）が知られている。このＧＰＳにより、人工衛生からの電波を受信可能な装置を所持しているユーザは、自身の現在位置の位置情報（緯度および経度）を取得できるようになっている。また、近年、上記ＧＰＳの機能を備えたデジタルカメラ等の携帯型電子機器も開発されている。
【０００３】
このようなＧＰＳ機能を備えた携帯型電子機器においては、該携帯型電子機器にて撮影した画像データに対して、撮影した場所の位置情報を関連付ける処理が行われている。そして、上記携帯型電子機器では、位置情報を関連付けた状態で画像情報（画像データ）を保存している。
【０００４】
特許文献１には、上記携帯型電子機器の一例として、ＧＰＳ機能とデジタルカメラ機能とを備えたノート型のパーソナルコンピュータ（以下、ノートパソコン）が開示されている。
【０００５】
このノートパソコンにおいては、表示画面上に、撮影した画像情報とデジタル機器で利用できる電子的な地図（以下、電子地図）とが同時に表示されると共に、上記画像情報の位置情報により特定される電子地図上の位置に所定のアイコンが表示される。
【０００６】
また、上記ノートパソコンにおいては、任意の画像情報をクリックして選択すると、該画像情報に対応するアイコンが電子地図の中心に表示される。また、任意のアイコンをクリックして選択すると、該アイコンに対応する画像情報が表示画面の所定位置に表示される。
【特許文献１】特開２００１−１６００５８号公報（公開日：平成１３年６月１２日）
【発明の開示】
【発明が解決しようとする課題】
【０００７】
しかしながら、上記従来の構成では、ノートパソコンの表示画面に、複数の画像情報と、各画像情報に対応するアイコンとを同時に表示させる構成であるため、表示画面をある程度大きくする必要がある。このため、装置の小型化には限界がある。
【０００８】
本発明は、上記の問題点に鑑みなされたものであって、その目的は、表示画面の小さな携帯型電子機器であっても、ユーザの所望とする画像情報の撮影位置を特定可能な電子機器を提供することにある。
【課題を解決するための手段】
【０００９】
本発明に係る電子機器は、上記の課題を解決するために、撮影対象の画像情報と、前記画像情報の撮影位置を識別するための位置識別情報とを関連付けて、第１記憶部に格納する格納手段と、前記第１記憶部に格納された画像情報のうち、外部からの指示に応じた画像情報を選択する選択手段と、少なくとも、前記第１記憶部に格納された画像情報を表示画面に表示する表示制御手段とを備え、前記選択手段により画像情報が選択された場合、前記表示制御手段は、前記表示画面における表示内容を、前記第１記憶部に格納された画像情報の表示から、前記選択された画像に関連付けされた前記位置識別情報に基づく撮影位置の表示へと切り替えることを特徴としている。
【００１０】
上記の構成によれば、格納手段により、第１記憶部には、画像情報と、該画像情報の撮影位置を識別するための位置識別情報とが関連付けて記憶される。これにより、第１記憶部には、撮影された各画像情報に対して、前記各画像情報に基づいた位置識別情報が対応付けて記憶される。
【００１１】
また、選択手段により、前記第１記憶部に格納された画像情報のうち、外部からの指示に応じた画像情報を選択できる。それゆえ、ユーザが所定の指示を入力することにより、ユーザは、位置識別情報と関連付けて記憶させた画像情報のうち、所望とする画像情報を選択可能となる。
【００１２】
また、ユーザが所望とする画像情報についても、位置識別情報が関連付けされているため、該画像情報についても位置識別情報を特定できる。
【００１３】
さらに、選択手段により画像情報が選択された場合、表示制御手段により、表示画面における表示内容を、前記第１記憶部に格納された画像情報の表示から、前記選択された画像に関連付けされた位置識別情報に基づく撮影位置の表示へと切り替えることができる。
【００１４】
それゆえ、選択されていない画像情報に関連付けされた前記位置識別情報に基づく撮影位置の表示は必要ない。
【００１５】
したがって、表示画面の小さな電子機器であっても、ユーザの所望とする画像情報の撮影位置が特定可能となるという効果を奏する。
【００１６】
また、本発明に係る電子機器は、上記の電子機器において、前記表示制御手段は、前記選択された画像に関連付けされた前記位置識別情報に基づく撮影位置の表示に加えて、前記選択された画像情報を表示することを特徴としている。
【００１７】
上記の構成によれば、選択手段により画像情報が選択された場合、前記表示制御手段は、前記第１記憶部に格納された画像情報の表示から、前記選択された画像情報と、前記選択された画像に関する前記位置識別情報に基づいた撮影位置との表示へと切り替える。つまり、前記選択された画像情報も併せて、表示画面に表示する。
【００１８】
ここで、第１記憶部に複数の画像情報が格納されており、かつ、複数の画像情報が表示画面に表示されている場合、選択された画像情報以外の情報を含めて表示しようとすると、表示画面を大きくする必要がある。
【００１９】
しかしながら、選択された画像情報のみを抽出して表示することにより、表示画面を大きくする必要がなくなる。
【００２０】
さらに、撮影位置だけではなく、該撮影位置に対応する画像情報も表示されるため、該撮影位置に対応する画像情報が同時に確認できる。
【００２１】
したがって、表示画面の小さくできると共に、撮影位置を表示している際に、現在、どの画像情報を選択しているのか容易に判断ができるという効果を奏する。
【００２２】
また、本発明に係る電子機器は、上記の電子機器において、前記選択手段は、前記第１記憶部に格納された画像情報のうち、前記表示画面に表示されている画像情報であって、かつ、外部からの指示に応じた画像情報を選択することを特徴としている。
【００２３】
上記の構成によれば、前記選択手段により、表示画面に表示された画像情報であって、外部からの指示に応じた画像情報が選択される。
【００２４】
それゆえ、ユーザは、表示画面に表示された画像情報を参照して、所望とする画像情報を選択することができる。
【００２５】
したがって、ユーザが容易に所望とする画像情報を選択することができるという効果を奏する。
【００２６】
また、本発明に係る電子機器は、上記の電子機器において、前記撮影対象の属性情報の入力を受け付ける属性入力受付手段を備え、前記格納手段は、前記画像情報と前記位置識別情報と前記受け付けた属性情報とを関連付けて、前記第１記憶部に格納させることを特徴としている。
【００２７】
上記の構成によれば、属性入力受付手段により、撮影対象の属性情報の入力を受け付けることができる。また、格納手段により、前記画像情報と前記位置識別情報と前記受け付けた属性情報とが関連付けされて、前記第１記憶部に格納される。
【００２８】
したがって、属性情報を基にして、ある属性情報に関連付けられた画像情報を第１記憶部から抽出することが可能となるという効果を奏する。
【００２９】
また、本発明に係る電子機器は、上記の電子機器において、複数の異なる属性情報が格納された第２記憶部と、前記第２記憶部から、外部の指示に応じた属性情報を読み出す属性情報読出手段とを備え、前記属性入力受付手段は、前記属性情報読出手段が読み出した属性情報を、前記撮影対象の属性情報として受け付けることを特徴としている。
【００３０】
上記の構成によれば、第２記憶部には、複数の異なる属性情報が格納されている。また、属性読出手段により、第２記憶部から、外部の指示に応じた属性情報を読み出すことができる。それゆえ、ユーザは、属性読出手段を用いて、第２記憶部から所望とする属性情報を読み出させることができる。
【００３１】
また、属性入力受付手段により、属性情報読出手段が読み出した属性情報を受け付けることができる。それゆえ、ユーザが所望とする属性情報を、属性入力受付手段が受け付けることができる。
【００３２】
したがって、ユーザによる、属性情報の入力を容易とすることが可能となるという効果を奏する。
【００３３】
また、本発明に係る電子機器は、上記の電子機器において、前記第２記憶部に格納される属性情報は、カテゴリーに応じて格納されていると共に、各カテゴリーにおいて階層付けて格納されていることを特徴としている。
【００３４】
上記の構成によれば、属性情報は、カテゴリー毎に階層付けて第２記憶部に格納されている。
【００３５】
したがって、属性情報の読み出しの際に、所望とする属性情報の検索が容易となるという効果を奏する。
【００３６】
また、本発明に係る電子機器は、上記の電子機器において、前記属性情報の指定を受け付ける属性指定受付手段を備え、前記表示制御手段は、前記指定された属性情報に関連付けられた画像情報を、前記表示画面に表示することを特徴としている。
【００３７】
上記の構成によれば、属性指定受付手段により、属性情報の指定を受け付けることができる。また、表示制御手段により、指定された属性情報に関連付けられた画像情報が、表示画面に表示される。つまり、指定された属性情報に対応しない画像情報は、表示画面に表示されない。
【００３８】
したがって、ユーザが属性情報に基づいて画像情報を選択する際、所望とする画像情報の選択が容易となるという効果を奏する。
【００３９】
また、本発明に係る電子機器は、上記の電子機器において、前記格納手段は、前記属性情報に基づいて、前記属性情報に関連付けされた画像情報を階層付けて、前記第１記憶部に格納させると共に、前記属性指定受付手段が属性情報の指定を受け付けた場合、前記表示制御手段は、前記受け付けた属性情報に基づいた階層の画像情報、および、前記階層よりも下位の階層の画像情報を前記表示画面に表示することを特徴としている。
【００４０】
上記の構成によれば、格納手段により、前記属性情報に基づいて、前記属性情報に関連付けされた画像情報が階層付けされて、前記第１記憶部に格納される。また、属性指定受付手段が属性情報の指定を受け付けた場合、表示制御手段により、前記受け付けた属性情報に基づいた階層の画像情報、および、前記階層よりも下位の階層の画像情報が表示画面に表示される。
【００４１】
したがって、ユーザが画像情報を検索する際、ユーザの所望とする画像情報の検索が容易となるという効果を奏する。
【００４２】
また、本発明に係る電子機器は、上記の電子機器において、電子的な地図が格納された第３記憶部を備え、前記表示制御手段は、前記表示画面に前記地図を表示すると共に、前記選択された画像情報に関連付けされた前記位置識別情報に基づく撮影位置を前記地図上に表示することを特徴としている。
【００４３】
上記の構成によれば、表示制御手段により、前記選択された画像に関連付けされた前記位置識別情報に基づく撮影位置が、表示画面に表示された地図上に表示される。
【００４４】
したがって、ユーザは、選択した画像情報の撮影位置を視覚的に確認することができるという効果を奏する。
【００４５】
また、本発明に係る電子機器は、上記の電子機器において、自機器の現在位置を取得する現在位置取得手段を備え、前記表示制御手段は、前記取得した自機器の現在位置から、前記選択された画像に関連付けされた前記位置識別情報に基づく撮影位置への経路を、前記地図上に表示することを特徴としている。
【００４６】
上記の構成によれば、表示制御手段により、前記現在位置取得手段が取得した自機器の現在位置から、前記選択された画像に関連づけされた前記位置識別情報に基づく撮影位置への経路が前記地図上に表示される。
【００４７】
したがって、ユーザは、選択した画像情報を撮影した位置まで、再度容易に行くことが可能となるという効果を奏する。
【００４８】
また、本発明に係る電子機器は、上記の電子機器において、無線ＬＡＮを介して、前記撮影位置を含んだ無線ＬＡＮの通信領域を識別するための識別情報を、前記位置識別情報として取得する位置識別情報取得手段を備えていることを特徴としている。
【００４９】
上記構成によれば、位置識別情報取得手段により、無線ＬＡＮを介して、前記撮影位置を含んだ無線ＬＡＮの通信領域を識別するための識別情報を、前記位置識別情報として取得することができる。
【００５０】
したがって、撮影位置に関する位置識別情報を取得することが可能となるという効果を奏する。
【００５１】
また、本発明に係る電子機器は、上記の電子機器において、前記位置識別情報取得手段による位置識別情報の取得に伴い、前記無線ＬＡＮを介して、前記撮影位置を含んだ無線ＬＡＮの通信領域に関連する関連情報を取得する関連情報取得手段を備えていることを特徴としている。
【００５２】
上記の構成によれば、前記位置識別情報取得手段による位置識別情報の取得に伴い、関連情報取得手段により、前記無線ＬＡＮを介して、前記撮影位置を含んだ無線ＬＡＮの通信領域に関連する関連情報を取得できる。
【００５３】
したがって、ユーザは、画像情報の撮影時に、撮影位置付近の情報（関連情報）を取得することが可能となる。それゆえ、ユーザは、上記関連情報を参考にして、次の行動をとることが可能となるという効果を奏する。
【００５４】
また、本発明に係る電子機器は、上記の電子機器において、前記位置識別情報に基づいて、前記無線ＬＡＮを管理する情報管理装置から、前記撮影位置を特定する情報を取得する特定情報取得手段を備えることを特徴としている。
【００５５】
上記の構成によれば、無線ＬＡＮ用位置情報取得手段により、前記位置識別情報に基づいて、前記無線ＬＡＮを管理する情報管理装置から、前記撮影位置を特定する情報が取得できる。
【００５６】
したがって、位置識別情報から撮影位置を特定することができるという効果を奏する。
【００５７】
また、本発明に係る電子機器は、上記の電子機器において、全地球測位システムを用いて位置識別情報を取得する位置識別情報取得手段を備え、前記位置識別情報として、前記全地球測位システムにより得られる緯度および経度の情報を用いることを特徴としている。
【００５８】
上記の構成によれば、位置識別情報取得手段により、全地球測位システム（ＧＰＳ）を用いた位置識別情報の取得ができる。さらに、位置識別情報として、前記全地球測位システムにより得られる緯度および経度の情報を用いている。
【００５９】
したがって、位置識別情報から撮影位置を特定することができるという効果を奏する。
【００６０】
また、本発明に係る電子機器は、上記の電子機器において、電話機能および／または電子メール機能を備え、通信基地局を介して、他の電子機器と通信を行うと共に、前記位置識別情報として、前記通信基地局の識別情報を用いることを特徴としている。
【００６１】
上記の構成によれば、位置識別情報として、前記通信基地局の識別情報を用いることができる。
【００６２】
それゆえ、例えば、無線ＬＡＮに対応するための機器を備えていなくとも、あるいは、全地球測位システムに対応するための機器を備えていなくとも、位置識別情報を取得することができる。
【００６３】
また、自機器が、無線ＬＡＮに対応するための機器、および／または、全地球測位システムに対応するための機器を備えている場合であっても、無線ＬＡＮを利用できない状況下、あるいは、全地球測位システムを利用できない状況下で、位置識別情報を取得することができる。
【００６４】
また、本発明に係る電子機器は、上記の電子機器において、前記撮影対象は商品であって、前記属性情報は商品の種類を示す情報であることを特徴としている。
【００６５】
上記の構成によれば、撮影対象は商品であって、前記属性情報は商品の種類を示す情報である。
【００６６】
したがって、商品の種類に基づいて、ある種類の商品に関連する画像情報を第１記憶部から抽出することが可能となるという効果を奏する。
【００６７】
本発明に係る情報管理装置は、上記の課題を解決するために、自装置が管理する各送受信装置に関する各位置情報を記憶する記憶手段と、前記送受信装置と通信を行う電子機器から該送受信装置に関する位置情報の要求を受けた場合に、前記位置情報を、撮影位置を特定する情報として前記電子機器に送信する送信手段とを備えることを特徴としている。
【００６８】
上記の構成によれば、記憶手段には、自装置が管理する各送受信装置に関する各位置情報が記憶される。また、前記送受信装置と通信を行う電子機器から該送受信装置に関する位置情報の要求を受けた場合に、送信手段により、前記位置情報を、撮影位置を特定する情報として前記電子機器に送信することができる。
【００６９】
したがって、電子機器は、前記送受信装置に関する位置情報の要求を情報管理装置に対して行った場合、前記撮影位置を特定する情報を取得できるという効果を奏する。
【００７０】
また、本発明に係る情報管理装置は、上記の情報管理装置において、無線ＬＡＮを介して、前記電子機器と通信を行うと共に、前記記憶手段は、前記無線ＬＡＮの通信領域に関連する関連情報を記憶し、前記送信手段は、前記電子機器から前記関連情報の要求があった場合、前記関連情報を前記電子機器に送信することを特徴としている。
【００７１】
上記の構成によれば、情報管理装置は、無線ＬＡＮを介して電子機器と通信を行うため、多種多様な情報を電子機器に送信できる。
【００７２】
また、前記電子機器から前記関連情報の要求があった場合、送信手段により、記憶手段に記憶された、無線ＬＡＮの通信領域に関連する関連情報を、電子機器に送信する。
【００７３】
したがって、電子機器は、無線ＬＡＮの通信領域に関連する関連情報の要求を情報管理装置に対して行った場合、前記関連情報を取得できるという効果を奏する。
【００７４】
本発明に係る通信システムは、上記の課題を解決するために、上記電子機器と、上記情報管理装置とを備えることを特徴としている。
【００７５】
上記の構成によれば、電子機器が、情報管理装置から撮影位置を取得することができる。
【００７６】
したがって、電子機器においては、画像情報から該画像情報の撮影位置を特定することができるという効果を奏する。
【００７７】
本発明に係る撮影位置表示方法は、上記の課題を解決するため、撮影対象の画像情報と、前記画像情報の撮影位置を識別するための位置識別情報とを関連付けて、第１記憶部に格納する格納ステップと、前記第１記憶部に格納された画像情報のうち、外部からの指示に応じた画像情報を選択する選択ステップと、表示画面における表示内容を、前記第１記憶部に格納された画像情報の表示から、前記選択された画像に関連付けされた前記位置識別情報に基づく撮影位置の表示へと切り替える切替ステップとを備えることを特徴としている。
【００７８】
上記の方法によれば、格納ステップにより、第１記憶部には、画像情報と、該画像情報の撮影位置を識別するための位置識別情報とが関連付けて記憶される。これにより、第１記憶部には、撮影された各画像情報に対して、前記各画像情報に基づいた位置識別情報が対応付けて記憶される。
【００７９】
また、選択ステップにより、前記第１記憶部に格納された画像情報のうち、外部からの指示に応じた画像情報を選択できる。それゆえ、ユーザが所定の指示を入力することにより、ユーザは、位置識別情報と関連付けて記憶させた画像情報のうち、所望とする画像情報を選択可能となる。
【００８０】
また、ユーザが所望とする画像情報についても、位置識別情報が関連付けされているため、該画像情報についても位置識別情報を特定できる。
【００８１】
さらに、切替ステップにより、表示画面における表示内容を、前記第１記憶部に格納された画像情報の表示から、前記選択された画像に関連付けされた位置識別情報に基づく撮影位置の表示へと切り替えることができる。
【００８２】
それゆえ、選択されていない画像情報に関連付けされた前記位置識別情報に基づく撮影位置の表示は必要ない。
【００８３】
したがって、表示画面の小さな電子機器であっても、ユーザの所望とする画像情報の撮影位置が特定可能となるという効果を奏する。
【００８４】
本発明に係るプログラムは、以上のように、上記電子機器の各手段としてコンピュータを機能させるためのプログラムである。
【００８５】
上記プログラムをコンピュータシステムにロードすることによって、上記電子機器をユーザに提供することが可能となるという効果を奏する。
【００８６】
本発明に係る記録媒体は、以上のように、上記プログラムを記録したコンピュータ読み取り可能な記録媒体である。
【００８７】
上記記録媒体に記録されているプログラムをコンピュータシステムにロードすることによって、上記電子機器をユーザに提供することが可能となるという効果を奏する。
【発明の効果】
【００８８】
本発明に係る電子機器は、以上のように、撮影対象の画像情報と、前記画像情報の撮影位置を識別するための位置識別情報とを関連付けて、第１記憶部に格納する格納手段と、前記第１記憶部に格納された画像情報のうち、外部からの指示に応じた画像情報を選択する選択手段と、少なくとも、前記第１記憶部に格納された画像情報を表示画面に表示する表示制御手段とを備え、前記選択手段により画像情報が選択された場合、前記表示制御手段は、前記表示画面における表示内容を、前記第１記憶部に格納された画像情報の表示から、前記選択された画像に関連付けされた前記位置識別情報に基づく撮影位置の表示へと切り替える構成である。
【００８９】
したがって、表示画面の小さな電子機器であっても、ユーザの所望とする画像情報の撮影位置が特定可能となるという効果を奏する。
【００９０】
本発明に係る情報管理装置は、以上のように、自装置が管理する各送受信装置に関する各位置情報を記憶する記憶手段と、前記送受信装置と通信を行う電子機器から該送受信装置に関する位置情報の要求を受けた場合に、前記位置情報を、撮影位置を特定する情報として前記電子機器に送信する送信手段とを備える構成である。
【００９１】
したがって、電子機器は、前記送受信装置に関する位置情報の要求を情報管理装置に対して行った場合、前記撮影位置を特定する情報を取得できるという効果を奏する。
【００９２】
本発明に係る通信システムは、以上のように、上記電子機器と、上記情報管理装置とを備えることを特徴としている。
【００９３】
したがって、電子機器においては、画像情報から該画像情報の撮影位置を特定することができるという効果を奏する。
【００９４】
本発明に係る撮影位置表示方法は、以上のように、撮影対象の画像情報と、前記画像情報の撮影位置を識別するための位置識別情報とを関連付けて、第１記憶部に格納する格納ステップと、前記第１記憶部に格納された画像情報のうち、外部からの指示に応じた画像情報を選択する選択ステップと、表示画面における表示内容を、前記第１記憶部に格納された画像情報の表示から、前記選択された画像に関連付けされた前記位置識別情報に基づく撮影位置の表示へと切り替える切替ステップとを備える方法である。
【００９５】
したがって、表示画面の小さな電子機器であっても、ユーザの所望とする画像情報の撮影位置が特定可能となるという効果を奏する。
【００９６】
本発明に係るプログラムは、以上のように、上記電子機器の各手段としてコンピュータを機能させるためのプログラムである。
【００９７】
したがって、上記プログラムをコンピュータシステムにロードすることによって、上記電子機器をユーザに提供することが可能となるという効果を奏する。
【００９８】
本発明に係る記録媒体は、以上のように、上記プログラムを記録したコンピュータ読み取り可能な記録媒体である。
【００９９】
したがって、上記記録媒体に記録されているプログラムをコンピュータシステムにロードすることによって、上記電子機器をユーザに提供することが可能となるという効果を奏する。
【発明を実施するための最良の形態】
【０１００】
本発明の一実施形態について図１ないし図１４に基づいて説明すると以下の通りである。なお、以下の説明では、電子機器の一例として携帯型電話機を挙げて説明する。しかしながら、必ずしも、電子機器は携帯型電話機に限定されるものではなく、例えばＰＤＡ（Personal Digital Assistant）であってもよい。
【０１０１】
図２は、本実施の形態に係る通信システム１の概略構成を示した図である。通信システム１は、サーバ（情報管理装置）２、送受信装置３、携帯電話基地局（情報管理装置・通信基地局）４、送受信装置５、基地局用アンテナ６、および、携帯型電話機７を備えている。
【０１０２】
サーバ２は、送受信装置３を管理すると共に、送受信装置３を介して携帯型電話機７との間においてＬＡＮ（Local Area Network）を用いたデータ通信を行う。また、サーバ２は、図３に示すとおり、記憶装置（記憶手段）２ａ、送信部（送信手段）２ｂ、および、受信部２ｃを備えている。
【０１０３】
記憶装置２ａには、後述する、装置ＩＤ情報、位置情報（撮影位置を特定する情報）、および、関連情報が格納されている。送信部２ｂは、記憶装置２ａに格納された上記各情報を、送受信装置３を介して、通信相手である携帯型電話機７に送る。受信部２ｃは、携帯型電話機７から、送受信装置３を介して、上記各情報を取得するための要求信号を受信する。
【０１０４】
送受信装置３は、無線ＬＡＮ用の送受信装置であって、所定のエリア内に存在する無線ＬＡＮＩＦ（Interface）を備えた通信装置（例えば、携帯型電話機７）とデータの送受信を行う。同図においては、ホットスポット（登録商標）と呼ばれるエリア内の携帯型電話機７と通信を行う。なお、ホットスポットから携帯型電話機７が外れると、送受信装置３と携帯型電話機７との間で電波の送受信が行えなくなり、両者間の通信は遮断される。なお、送受信装置３は、アクセスポイントに設置される中継装置（いわゆるＡＰ）である。
【０１０５】
携帯電話基地局４は、送受信装置５および基地局用アンテナ６を介して携帯型電話機７と通信を行い、携帯型電話機７と他の携帯型電話機等との通信を確立する。
【０１０６】
送受信装置５は、基地局用アンテナ６からデータを受信し、所定のデータ処理を行う。そして、処理したデータを携帯電話基地局４に送る。また、送受信装置５は、携帯電話基地局４からデータを受信し、所定のデータ処理を行った後、処理したデータを基地局用アンテナ６に送る。
【０１０７】
基地局用アンテナ６は、携帯型電話機７からのデータを受信し、該受信したデータを送受信装置５に送る。また、基地局用アンテナ６は、送受信装置５から送られるデータを携帯型電話機７に送信する。
【０１０８】
次に、携帯型電話機７の構成について説明する。図１は、携帯型電話機７の機能ブロックを示した図である。携帯型電話機７は、同図に示すとおり、操作部１１、アンテナ１２、電話ＩＦ部１３、無線ＬＡＮＩＦ部１４、撮影部１５、記憶部１６、表示部（表示画面）１７、および、制御部１８を備えている。
【０１０９】
また、記憶部１６は、第１記憶部１６ａ、第２記憶部１６ｂ、および、第３記憶部１６ｃを備えている。さらに、制御部１８は、撮影制御部２１、無線ＬＡＮ制御部２２、属性入力受付部（属性入力受付手段）２３、属性情報読出部（属性情報読出手段）２４、格納部（格納手段）２５、表示制御部（表示制御手段）２６、選択部（選択手段）２７、現在位置取得部（現在位置取得手段）２８、および、属性指定受付部（属性指定受付手段）２９を備えている。また、無線ＬＡＮ制御部（特定情報取得手段）２２は、撮影位置識別情報取得部（位置識別情報取得手段）２２ａおよび関連情報取得部（関連情報取得手段）２２ｂを備えている。さらに、格納部２５は、関連付部２５ａおよび書込部２５ｂを備えている。また、表示制御部２６は、読出部２６ａおよび切替部２６ｂを備えている。
【０１１０】
なお、制御部１８を構成する各ブロックは、ＣＰＵが記憶部に格納されたプログラムを実行し、図示しない入出力回路などの周辺回路を制御することによって実現される機能ブロックである。
【０１１１】
操作部１１は、携帯型電話機７のキースイッチおよび／またはタッチパネル等で構成され、ユーザからの入力を受け付ける。また、操作部１１から出力された信号（指令信号）は、制御部１８に送られる。なお、操作部１１から出力される指令信号の内容については、後述する。
【０１１２】
アンテナ１２は、基地局用アンテナ６を介して、携帯電話基地局４と通信を行うために用いられる。具体的には、アンテナ１２は、携帯電話基地局４からの無線データの受信、および、携帯電話基地局４への無線データの送信に用いられるアンテナである。
【０１１３】
電話ＩＦ１３は、アンテナ１２で受信した携帯電話基地局４からの無線データに対してデータ処理（無線信号処理）を行うと共に、データ処理したデータを制御部１８に送る。さらに、電話ＩＦ１３は、制御部１８から送られてくるデータを無線データとした上で、アンテナ１２を介して、該無線データを携帯電話基地局４へ送信する。
【０１１４】
無線ＬＡＮＩＦ部１４は、送受信装置３を介してサーバ２からデータを受信し、該データを無線ＬＡＮ制御部２２へ送る。また、無線ＬＡＮＩＦ部１４は、無線ＬＡＮ制御部２２から送られてくるデータを、送受信装置３を介してサーバ２に送信する。なお、無線ＬＡＮＩＦ部１４を用いて送受信されるデータの内容については、後述する。
【０１１５】
撮影部１５は、図示しない、レンズ、受光素子を備えたＣＣＤ回路、ＣＣＤ駆動部、信号増幅部、Ａ／Ｄ変換部、および、レンズ駆動部により構成されている。そして、この撮影部１５で撮影することにより得られた画像データ（画像情報）は、撮影制御部２１に送られる。
【０１１６】
記憶部１６は、各種のデータを格納および読出し可能な、ＲＡＭ等の記憶装置で構成され、上述したように、第１記憶部１６ａ、第２記憶部１６ｂ、および、第３記憶部１６ｃで構成されている。
【０１１７】
第１記憶部１６ａは、書込部２５ｂから送られてくるデータを格納する。また、第２記憶部１６ｂは、予め、所定のデータ（後述する属性情報）を格納している。さらに、第３記憶部１６ｃは、予め、携帯型電話機７で取り扱いが可能な電子的な地図データ（以下、電子地図データ）を格納している。なお、記憶部１６の各記憶部１６ａ〜１６ｃにおける、データ（情報）の格納（書き込み）および読み出しの処理については、後述する。
【０１１８】
表示部１７は、例えば、液晶駆動装置および液晶表示パネルを供えた液晶表示装置で構成される。なお、液晶表示装置に限定されず、有機ＥＬ表示装置やプラズマ表示装置等であってもよい。この表示部１７は、表示制御部２６から出力される映像信号に基づき、画像を表示パネルに表示する。
【０１１９】
ここで、制御部１８を構成する各ブロックの処理内容について説明する。
【０１２０】
撮影制御部２１は、操作部１１から指令信号を受け付けると、撮影部１５に対して撮影処理を指示する。また、撮影制御部２１は、撮影部１５が撮影対象物（例えば、商品）を撮影した場合、撮影部１５から撮影対象の画像情報（画像データ）を受け付ける。そして、撮影制御部２１は、上記画像情報を関連付部２５ａおよび表示制御部２６に送る。さらに、撮影制御部２１は、撮影部１５への撮影処理と共に、撮影位置識別情報取得部２２ａに対して、撮影処理を行う旨の信号（撮影通知信号）を通知する。なお、上記画像情報は、静止画の画像情報に限らず、動画の画像情報であってもよい。
【０１２１】
無線ＬＡＮ制御部２２は、ＬＡＮとの接続状態を監視したり、ＬＡＮとの接続およびＬＡＮとの切断を制御する。また、無線ＬＡＮ制御部２２は、携帯型電話機７がホットスポットに入ったときには、ＬＡＮとの接続を確立し、送受信装置３を介してサーバ２との通信を開始する。さらに、無線ＬＡＮ制御部２２は、サーバ２から所定のデータを受信すべく、サーバ２に所定のデータの受信に必要となる信号（要求信号）を送る。
【０１２２】
撮影位置識別情報取得部２２ａは、撮影制御部２１から、上記撮影通知信号を受け付ける。そして、撮影位置識別情報取得部２２ａは、上記撮影通知信号を受け付けると、送受信装置３を識別するための装置識別情報（装置ＩＤ情報）を要求する信号（識別情報要求信号）を生成し、該信号を無線ＬＡＮＩＦ部１４を介して、送受信装置３に送信する。なお、送受信装置３は、上記装置ＩＤ情報を要求する要求信号を、サーバ２に送る。
【０１２３】
また、撮影位置識別情報取得部２２ａは、無線ＬＡＮＩＦ部１４を介して、サーバ２から上記識別要求信号の応答信号として、装置ＩＤ情報を受信した場合には、該装置ＩＤ情報を関連情報取得部２２ｂおよび関連付部２５ａに送る。
【０１２４】
これにより、携帯型電話機７において、撮影対象の撮影が行われるエリアを示す情報を、上記装置ＩＤ情報として取得できる。なお、上記では、送受信装置３を識別するための装置ＩＤ情報を用いたが、撮影位置を識別するための位置識別情報であれば、これに限定されない。例えば、サーバ２において、送受信装置３の識別情報以外に、該送受信装置３が管理するホットスポットをホットスポットＩＤ情報として管理しているならば、該ホットスポットＩＤ情報を装置ＩＤ情報の代わりに用いてもよい。
【０１２５】
関連情報取得部２２ｂは、撮影位置識別情報取得部２２ａから、上記装置ＩＤ情報を受け付ける。そして、関連情報取得部２２ｂは、上記装置ＩＤ情報に基づいて、サーバ２に対して装置ＩＤ情報に関連する情報（関連情報）を要求する信号（関連情報要求信号）を生成し、該信号を無線ＬＡＮＩＦ部１４を介して、送受信装置３に送信する。なお、送受信装置３は、上記装置ＩＤ情報を要求する要求信号を、サーバ２に送る。
【０１２６】
また、関連情報取得部２２ｂは、サーバ２に装置ＩＤ情報に関連する関連情報が蓄積されている場合、無線ＬＡＮＩＦ部１４を介して、サーバ２から上記関連情報要求信号の応答信号として、該関連情報を表示制御部２６に送る。さらに、関連情報取得部２２ｂは、上記関連情報を、関連付部２５ａに送る。
【０１２７】
属性入力受付部２３は、操作部１１から指令信号を受け付けると、撮影対象の属性情報の入力を受け付ける。なお、撮影対象が商品である場合には、上記属性情報は、衣類、雑貨、音楽ＣＤ（Compact Disk）等の商品区分を示す情報となる。また、属性入力受付部２３は、受け付けた属性情報を関連付部２５ａに送る。
【０１２８】
なお、属性入力受付部２３における入力の受付方法としては、ユーザが操作部１１を介して、直接属性情報を入力する方法、あるいは、第２記憶部１６ｂに格納された属性情報を読み出し、該読み出した属性情報を入力する方法が挙げられる。以下、後者の場合について説明する。
【０１２９】
属性情報読出部２４は、操作部１１から指令信号を受け付けると、第２記憶部１６ｂから予め格納されている属性情報を読み出し、表示制御部２６に送る。この場合、表示制御部２６は、読み出した属性情報を表示部１７に表示させる。ここで、表示部１７での表示方法としては、属性情報が一覧となって表示されることが、選択処理の高速化および容易化を図る上で好ましい。なお、表示制御部２６の動作内容の詳細については、後述する。
【０１３０】
ユーザが、操作部１１により、表示部１７に表示された属性情報中から一つの属性情報の選択をすると、属性情報読出部２４は選択された属性情報を属性入力受付部２３に送る。この場合、属性入力受付部２３は、選択された属性情報を関連付部２５ａに送る。
【０１３１】
格納部２５は、受け付けた情報に対して所定の処理を行う、該処理を行った情報を記憶部１６に格納するブロックであり、上述したように、関連付部２５ａおよび書込部２５ｂを備えている。
【０１３２】
関連付部２５ａは、撮影制御部２１から画像情報を、撮影位置識別情報取得部２２ａから装置ＩＤ情報を、関連情報取得部２２ｂから関連情報を、属性入力受付部２３から属性情報を受け付け、これらの情報を互いに関連付ける。そして、関連付部２５ａは、上記関連付けた情報を、書込部２５ｂに送る。書込部２５ｂは、上記関連付けられた情報を第１記憶部１６ａに格納する。
【０１３３】
なお、上記では、画像情報と、装置ＩＤ情報と、関連情報と、属性情報とを関連付ける構成について説明したが、必ずしもこれに限定されるものではない。関連情報が取得できない場合には、関連情報を他の情報と関連付けれないため、この場合は関連情報の関連付けは不要である。さらに、属性入力受付部２３に属性情報の入力がない場合には、属性情報を他の情報と関連付けられないため、この場合は属性情報の関連付けは不要である。
【０１３４】
以上のように、ホットスポットで撮影対象の撮影を行うと、少なくとも、画像情報と、撮影位置を識別するための位置識別情報である装置ＩＤ情報とを関連付けて記憶させることが可能となる。
【０１３５】
表示制御部２６は、撮影対象の撮影が行われると、撮影制御部２１から送られる画像情報を受け付け、この画像情報を表示部１７に表示させる。また、表示制御部２６は、関連情報取得部２２ｂが関連情報を取得した場合には、画像情報に加えて関連情報を表示部１７に表示する。なお、この場合における、関連情報の表示は、必ずしも画像情報と同時でなくてもよい。操作部１１からの指示に応じて、表示制御部２６の切替部２６ｂが、画像情報の表示から関連情報の表示へと切り替える構成でもよい。
【０１３６】
読出部２６ａは、操作部１１から指令信号を受けると、第１記憶部１６ａから上記関連付けされた情報（画像情報、装置ＩＤ情報、関連情報、および、属性情報）を読み出す。
【０１３７】
表示制御部２６は、上記関連付けされた情報のうち、少なくとも画像情報を表示部１７に表示させる。関連づけされた情報が複数ある場合には、表示制御部２６は、表示部１７の表示領域に表示可能な範囲内で、複数の画像情報を表示することが好ましい。また、画像情報は、操作部１１からの指令信号により、全ての画像情報を確認できる構成としておく。
【０１３８】
選択部２７は、操作部１１から指令信号を受けて、該指令信号に応じた画像情報であって、かつ、表示部１７に表示されている画像情報を、少なくとも１つ選択する。そして、選択部２７は、選択した画像情報に通知する情報を表示制御部２６に送る。
【０１３９】
表示制御部２６は、上記選択した画像情報を通知する情報を選択部２７から受け付けると、表示制御部２６は、無線ＬＡＮ制御部２２に対して、選択された画像情報に関連付けられた装置ＩＤ情報を送る。
【０１４０】
無線ＬＡＮ制御部２２は、上記装置ＩＤ情報を表示制御部２６から受け付けると、無線ＬＡＮＩＦ部１４を介して、サーバ２に対し、上記装置ＩＤ情報で特定される送受信装置３が設置されている設置箇所を位置情報として携帯型電話機７に送信するよう要求信号を送る。ここで、無線ＬＡＮ制御部２２が、サーバ２から上記要求信号の応答信号として上記位置情報を取得すると、無線ＬＡＮ制御部２２は、取得した位置情報を表示制御部２６に送る。
【０１４１】
表示制御部２６は、上記位置情報を取得すると、表示制御部２６の切替部２６ｂにより、表示部１７における表示内容を、画像情報の表示から、選択された画像情報に関連付けされた装置ＩＤ情報に基づく位置情報を含んだ表示へと切り替える。これにより、表示部１７における表示内容が、撮影位置を含んだ表示に切替られる。
【０１４２】
ところで、上記においては、選択部２７は、第１記憶部１６ａに格納された画像情報のうち、表示部１７に表示されている画像情報であって、かつ、操作部１１からの指示に応じた画像情報を選択したが、これに限定されるものではない。画像情報が表示部１７に表示されていない状態であっても、操作部１１から、例えば画像情報に付された識別番号を入力することにより、選択部２７が画像情報を選択できる構成にしておくことが好ましい。つまり、選択部２７が、第１記憶部１６ａに格納された画像情報のうち、操作部１１からの指示に応じた画像情報を選択する構成としておく。
【０１４３】
現在位置取得部２８は、操作部１１からの指令信号により、携帯型電話機７の現在位置情報を取得する。そして、現在位置取得部２８は、上記取得した現在位置情報を表示制御部２６に送る。
【０１４４】
ところで、上記現在位置の取得の方法は、特に限定されるものではない。例えば、携帯電話基地局４の位置情報、あるいは、基地局用アンテナ６の位置情報であってもよい。この場合には、現在位置取得部２８は、電話ＩＦ部１３およびアンテナ１２を介して、携帯電話基地局４から、携帯電話基地局４の位置情報、あるいは、通信対象となる基地局用アンテナ６の位置情報を取得すればよい。
【０１４５】
また、現在位置取得部２８は、無線ＬＡＮ制御部２２を介して、送受信装置３が設置されている設置箇所を、現在位置情報として取得してもよい。さらに、携帯型電話機７にＧＰＳ機能を備えておき、この機能を用いて、携帯型電話機７の現在位置情報を取得してもよい。
【０１４６】
表示制御部２６は現在位置情報を受け付けると、表示制御部２６の読出部２６ａにより、第３記憶部１６ｃから電子地図情報を読み出す。そして、表示制御部２６は、電子地図上に、現在位置情報に基づき、現在位置を示すアイコンと、選択された画像情報に関連付けられた撮影位置を示すアイコンとを表示する。さらに、表示制御部２６は、現在位置から撮影位置までの経路を電子地図上に表示する。
【０１４７】
なお、上記の説明においては、現在位置を示すアイコンと、撮影位置を示すアイコンとを同時に表示したが、これに限定されるものではなく、撮影位置を示すアイコンのみでもよい。
【０１４８】
また、電子地図の表示を表示させるか否かは、ユーザの操作部１１を介した指示により決定される構成であることが好ましい。つまり、撮影位置を表示するのか、少なくとも撮影位置および電子地図を表示するのかは、選択できる構成であることが好ましい。
【０１４９】
以上のように、携帯型電話機（電子機器）７は、撮影対象の画像情報と、前記画像情報の撮影位置を識別するための位置識別情報とを関連付けて、第１記憶部１６ａに格納する格納部（格納手段）２５と、第１記憶部１６ａに格納された画像情報のうち、操作部１１を介したユーザ（外部）からの指示に応じた画像情報を選択する選択部（選択手段）２７と、少なくとも、第１記憶部１６ａに格納された画像情報を表示部（表示画面）１７に表示する表示制御部（表示制御手段）２６とを備え、選択部２７により画像情報が選択された場合、表示制御部２６は、表示部１７における表示内容を、第１記憶部１６ａに格納された画像情報の表示から、前記選択された画像に関連付けされた前記位置識別情報に基づく撮影位置の表示へと切り替える構成である。
【０１５０】
この構成によれば、格納部２５により、第１記憶部１６ａには、画像情報と、該画像情報の撮影位置を識別するための位置識別情報とが関連付けて記憶される。これにより、第１記憶部１６ａには、撮影された各画像情報に対して、前記各画像情報に基づいた位置識別情報が対応付けて記憶される。
【０１５１】
また、選択部２７により、第１記憶部１６ａに格納された画像情報のうち、外部からの指示に応じた画像情報を選択できる。それゆえ、ユーザが所定の指示を入力することにより、ユーザは、位置識別情報と関連付けて記憶させた画像情報のうち、所望とする画像情報を選択可能となる。
【０１５２】
また、ユーザが所望とする画像情報についても、位置識別情報が関連付けされているため、該画像情報についても位置識別情報を特定できる。
【０１５３】
さらに、選択部２７により画像情報が選択された場合、表示制御部２６により、表示部１７における表示内容を、第１記憶部１６ａに格納された画像情報の表示から、前記選択された画像に関連付けされた位置識別情報に基づく撮影位置の表示へと切り替えることができる。
【０１５４】
それゆえ、選択されていない画像情報に関連付けされた前記位置識別情報に基づく撮影位置の表示は必要ない。したがって、携帯型電話機７のように、表示部１７の小さな電子機器であっても、ユーザの所望とする画像情報の撮影位置が特定可能となる。
【０１５５】
また、携帯型電話機７は、表示制御部２６が、前記選択された画像に関連付けされた前記位置識別情報に基づく撮影位置の表示に加えて、前記選択された画像情報を表示する構成でもある。つまり、携帯型電話機７は、選択部２７により画像情報が選択された場合、表示制御部２６は、第１記憶部１６ａに格納された画像情報の表示から、前記選択された画像情報、および、前記選択された画像に関連付けされた前記位置識別情報に基づいた撮影位置の表示へと切り替える構成である。
【０１５６】
この構成によれば、選択部２７により画像情報が選択された場合、表示制御部２６は、第１記憶部１６ａに格納された画像情報の表示から、前記選択された画像情報と、前記選択された画像に関する前記位置識別情報に基づいた撮影位置との表示へと切り替える。つまり、前記選択された画像情報も併せて、表示部１７に表示する。
【０１５７】
ここで、第１記憶部１６ａに複数の画像情報が格納されており、かつ、複数の画像情報が表示部１７に表示されている場合、選択された画像情報以外の情報を含めて表示しようとすると、表示部１７（表示エリア）を大きくする必要がある。しかしながら、選択された画像情報のみを抽出して表示することにより、表示部１７を大きくする必要がなくなる。さらに、撮影位置だけではなく、該撮影位置に対応する画像情報も表示されるため、該撮影位置に対応する画像情報が同時に確認できる。
【０１５８】
したがって、表示部１７を小さくできると共に、撮影位置を表示している際に、現在、どの画像情報を選択しているのか容易に判断ができる。
【０１５９】
また、携帯型電話機７は、選択部２７が、第１記憶部１６ａに格納された画像情報のうち、表示部１７に表示されている画像情報であって、かつ、外部からの指示に応じた画像情報を選択する構成でもある。
【０１６０】
この構成によれば、選択部２７により、表示部１７に表示された画像情報であって、外部からの指示に応じた画像情報が選択される。それゆえ、ユーザは、表示部１７に表示された画像情報を参照して、所望とする画像情報を選択することができる。したがって、ユーザが容易に所望とする画像情報を選択することができる。
【０１６１】
次に、属性指定受付部２９について説明する。属性指定受付部２９は、操作部１１から指令信号を受け付けると、属性情報の指定を受け付ける。また、属性指定受付部２９は、上記指定された属性情報を、表示制御部２６に送る。なお、属性指定受付部２９における指定の受付方法としては、ユーザが操作部１１を介して、直接属性情報を指定する方法、あるいは、表示制御部２６が読み出した属性情報の中から属性情報を指定する方法が挙げられる。
【０１６２】
表示制御部２６は、属性情報の指定を受け付けると、読出部２６ａにより第１記憶部１６ａから読み出した、上記関連づけされた情報（画像情報、装置ＩＤ情報、関連情報、および、属性情報）に基づいて、指定を受けた属性情報に関連する画像情報を表示部１７に表示させる。
【０１６３】
以上のように、携帯型電話機７は、前記属性情報の指定を受け付ける属性指定受付部（属性指定受付手段）２９を備え、表示制御部２６は、前記指定された属性情報に関連付けられた画像情報を、表示部１７に表示する構成である。
【０１６４】
この構成によれば、属性指定受付部２９により、属性情報の指定が受け付けられる。また、表示制御部２６により、指定された属性情報に関連付けられた画像情報が、表示部１７に表示される。つまり、指定された属性情報に対応しない画像情報は、表示部１７に表示されない。
【０１６５】
したがって、ユーザが属性情報に基づいて画像情報を選択する際、所望とする画像情報の選択が容易となる。
【０１６６】
ところで、第２記憶部１６ｂに格納される属性情報は、カテゴリーに応じて格納されていると共に、各カテゴリーにおいて階層付けて格納されていることが好ましい。例えば、撮影対象が商品である場合、属性情報は、衣類、雑貨、本といったカテゴリーに分類されて記憶されると共に、例えば、衣類といった属性情報は、該属性情報の下位の階層に、衣類（子供服）、衣類（ベビー服）、衣類（紳士服）、および、衣類（婦人服）といった属性情報を記憶していることが好ましい。このような構成によれば、属性情報は、カテゴリー毎に階層付けて第２記憶部１６ｂに格納されているため、属性情報の読み出しの際に、所望とする属性情報の検索が容易となる。
【０１６７】
また、携帯型電話機７においては、第２記憶部１６ｂに、ユーザが設定した新たな属性情報を記憶させることが可能な構成としておくことが好ましい。
【０１６８】
また、格納部２５は、前記属性情報に基づいて、前記属性情報に関連付けされた画像情報を階層付けて、第１記憶部１６ａに格納させると共に、属性指定受付部２９が属性情報の指定を受け付けた場合、表示制御部２６は、前記受け付けた属性情報に基づいた階層の画像情報、および、前記階層よりも下位の階層の画像情報を表示部１７に表示する構成とすることが好ましい。
【０１６９】
この構成によれば、格納部２５により、前記属性情報に基づいて、前記属性情報に関連付けされた画像情報が階層付けされて、第１記憶部１６ａに格納される。また、属性指定受付部２９が属性情報の指定を受け付けた場合、表示制御部２６により、前記受け付けた属性情報に基づいた階層の画像情報、および、前記階層よりも下位の階層の画像情報が表示画面に表示される。したがって、ユーザが画像情報を検索する際、ユーザの所望とする画像情報の検索が容易となる。
【０１７０】
また、上記においては、属性情報に基づいて画像情報を階層付けて第１記憶部１６ａに記憶させたが、これに限定されるものではない。例えば、属性情報を階層付けて、各階層に各画像情報を対応付けて記憶する構成としてもよい。
【０１７１】
次に、上記撮影対象を商品とした場合の例について説明する。
【０１７２】
例えば、Ａ商店という店において、ユーザが気になる商品（例えば、子供服）を見つけた場合、ユーザは、携帯型電話機７の撮影部１５を用いて子供服（撮影対象）の写真を撮影する。なお、撮影時においては、値札に付された金額表示も併せて撮影しておくことが好ましい。この場合、後で、商品の画像情報と該商品の金額とを同時に確認できることとなる。
【０１７３】
さらに、商品の撮影をトリガーとして、撮影位置識別情報取得部２２ａが、サーバ２から上述した装置ＩＤ情報を受け取る。また、ユーザは、操作部１１を介して、衣類（子供服）という属性情報を制御部１８に入力すると、属性入力受付部２３が、撮影対象の衣類（子供服）という属性情報の入力を受け付ける。さらに、サーバ２に上記装置ＩＤ情報に関連する関連情報（例えば、Ａ商店におけるタイムバーゲンの情報）が蓄積されている場合、関連情報取得部２２ｂが、サーバ２から上記関連情報を取得する。
【０１７４】
そして、関連付部２５ａにより、上記画像情報と上記装置ＩＤ情報と上記属性情報と上記関連情報とが関連付けされ、該関連付けされた各情報が書込部２５ｂにより、第１記憶部１６ａに格納される。
【０１７５】
上記のような商品の撮影を、例えば複数の商店において行うと、第１記憶部１６ａには、図４で示すようなデータが格納されることとなる。なお、同図の撮影番号は、各画像情報を識別するために付される識別子である。また、同図においては、画像情報の欄には、各画像情報が格納されているアドレスが記載されている。つまり、各アドレスが指示する場所に、各画像情報が格納されている。
【０１７６】
また、ユーザによる操作部１１からの入力により、表示制御部２６の読出部２６ａが、上記第１記憶部１６ａに格納されている、関連付けされた各情報を読み出す。そして、表示制御部２６は、属性指定受付部２９からの属性情報指定がない場合、上記関連付けされた各情報のうち、全ての画像情報を表示部１７に表示させる。ただし、一度に全ての画像情報を表示できない場合には、表示可能な範囲で画像情報を表示すればよい。さらには、一つずつ画像情報を表示部１７に表示させ、操作部１１からの入力により表示部１７に表示させる画像情報を切り替える構成でもよい。
【０１７７】
一方、属性指定受付部２９から属性情報の指定（例えば、衣類）がある場合、表示制御部２６は、衣類という属性情報を備えている画像情報を表示させる。この場合、衣類の他、衣類（子供服）および衣類（紳士服）といった、衣類に関連した属性情報を有する画像も併せて表示部１７に表示することが好ましい。
【０１７８】
ここで、選択部２７により、ある画像情報が選択された場合、無線ＬＡＮ制御部２２が、サーバ２から、選択された画像情報に関連付けられた装置ＩＤ情報に基づく撮影位置を特定する情報（以下、撮影位置情報）を取得する。そして、表示制御部２６により、例えば図５に示すとおり、表示部１７において上記撮影位置情報が表示されることとなる。
【０１７９】
また、現在位置取得部２８により、現在位置の取得が行われた場合には、表示制御部２６は、第３記憶部１６ｃから電子地図を読み出し、表示部１７において電子地図上に撮影位置を表示させる。さらに、表示制御部２６は、例えば図６に示すとおり、現在位置から撮影位置までの経路を、電子地図上に表示させる。
【０１８０】
なお、撮影位置を示す場合には、図７に示すように、選択された画像情報も併せて表示することが好ましい。
【０１８１】
また、図４等においては、関連情報として、「タイムバーゲン３時から」および「全商品２０パーセントＯＦＦ」といった情報を例に挙げたが、これに限定されるものではない。例えば、サーバ２が無線の発信者の氏名を特定可能である場合、関連情報として、「Ａさん、Ｔシャツが半額ですよ」といった個人宛の情報とすることもできる。
【０１８２】
また、商品の画像情報を表示部１７に表示することにより、ユーザは、表示部１７に表示される画像情報に基づいて、商品の比較が行える。つまり、どの商品を購入すべきかを、画像情報を用いて行える。さらに、商品の撮影場所が表示部１７に表示されるのため、ユーザは、商品を販売している場所まで、迷わずに辿り着くことができる。また、画像情報を属性情報に基づいて階層的に第１記憶部１６ａに格納しておくことにより、比較対照となる商品を、簡単に検索することができる。
【０１８３】
ここで、ユーザが操作部１１を介して直接属性情報を指定する方法を用いる場合には、携帯型電話機７は、撮影対象物の撮影処理が終了すると、ユーザから属性の指定を受け付けるように表示画面が切り替わることが好ましい。この場合、携帯型電話機７は、撮影した画像情報を表示部１７に表示すると共に、表示部１７に属性情報入力の指示と、属性情報入力欄とを表示することが好ましい。図８は、撮影対象がシャツである場合の表示部１７における表示内容（ユーザインタフェース）を例示している。なお、この場合には、入力される属性情報は、分類に用いるより情報というよりも、ユーザが思い出すための情報として用いるのが好適である。
【０１８４】
次に、表示制御部２６が読み出した属性情報の中から属性情報を指定する方法を用いる場合にも、携帯型電話機７は、撮影対象物の撮影処理が終了すると、ユーザから属性の指定を受け付けるように表示画面が切り替わることが好ましい。この場合、携帯型電話機７は、表示部１７に属性情報を階層的に表示することが好ましい。図９は、このように属性情報を表示部１７に階層的に表示した図である。なお、同図においては、各階層を、属性情報の表示位置によって表現している。
【０１８５】
また、階層に関係なく、属性情報を表示画面に表示してもよい。この場合には、表示される属性情報に番号を付しておくことが好ましい。この構成とすると、ユーザは、例えば、操作部１１の番号ボタンを押すといった簡単な動作により、属性情報の指定が可能となる。
【０１８６】
また、ユーザが買い物に出かけるときには、購入しようとする商品が、既に、概ね決まっていることが多い。このため、前もって属性情報の入力を受け付ける構成としてもよい。このような構成の場合には、図１０に示すように、属性情報（同図では、お買い物属性として表示）の入力を受け付けると共に、該属性情報が、新規な属性情報か、あるいは、既に登録した属性情報の下位の属性に入るものであるかを、ユーザに選択させることが好ましい。また、入力した属性情報が、既に登録した属性情報の下位に入るものである場合には、図１１に示すとおり、表示制御部２６が、登録された属性情報の一覧を表示部１７に表示させる。これにより、予め、属性情報を階層的に整理することが可能となると共に、撮影処理時の属性情報の入力を速やかに行うことができる。
【０１８７】
なお、上記においては撮影対象として商品を例に挙げたが、これに限定されるものではなく、建物や風景等の撮影対象となるものであればよい。
【０１８８】
次に、携帯型電話機７において、行われる処理のフローについて、図１２および図１３に基づいて説明する。
【０１８９】
図１２は、第１記憶部１６ａに、画像情報等の関連付けされた各情報を格納する処理フローを示したフローチャートである。
【０１９０】
まず、操作部１１からの入力により、撮影部１５が撮影対象物の撮影を行う（Ｓ１）。これにより、撮影対象物の画像情報が得られる。Ｓ１の後は、撮影位置識別情報取得部２２ａが、サーバ２から、装置ＩＤ情報を取得する（Ｓ２）。そして、Ｓ２の後は、関連情報取得部２２ｂが、サーバ２から、関連情報を取得する（Ｓ３）。
【０１９１】
さらに、Ｓ３の後は、属性入力受付部２３が、属性情報の入力を受け付ける（Ｓ４）。そして、Ｓ４の後は、格納部２５が、画像情報と装置ＩＤ情報と関連情報と属性情報とを関連付けて、第１記憶部１６ａに上記関連付けた各情報を格納する（Ｓ５）。以上により、各情報の第１記憶部１６ａに対する格納処理が終了する。
【０１９２】
図１３は、撮影位置の表示フローを示すフローチャートである。
【０１９３】
まず、操作部１１からの入力により、属性指定受付部２９が属性情報の指定を受け付ける（Ｓ１１）。Ｓ１１の後は、表示制御部２６が、指定した属性情報に関連付けられた画像情報を第１記憶部１６ａから読み出す（Ｓ１２）。そして、Ｓ１２の後は、表示制御部２６が、表示部１７に、読み出した画像情報を表示させる（Ｓ１３）。
【０１９４】
Ｓ１３の後は、選択部２７により、第１記憶部１６ａに表示された画像情報の中から、画像情報が選択される（Ｓ１４）。なお、上記画像情報選択は、表示部１７に表示された画像情報からの選択を行う構成としてもよい。また、Ｓ１４の後は、無線ＬＡＮ制御部２２は、選択された画像情報に関連付けられた装置ＩＤ情報に基づいて、該装置ＩＤ情報で特定される撮影位置情報をサーバ２から取得する（Ｓ１５）。そして、Ｓ１５の後は、表示制御部２６が、上記読み出した画像情報の表示から、上記選択された画像に関連付けされた前記位置識別情報に基づく撮影位置の表示へと切り替える（Ｓ１６）。以上により、撮影位置の表示への切替処理が終了する。
【０１９５】
ここで、画像情報と位置識別情報との関係について着目すると、撮影位置の表示方法は、撮影対象の画像情報と、前記画像情報の撮影位置を識別するための位置識別情報とを関連付けて、第１記憶部１６ａに格納する格納ステップと、第１記憶部１６ａに格納された画像情報のうち、操作部１１を介したユーザ（外部）からの指示に応じた画像情報を選択する選択ステップと、表示部（表示画面）１７における表示内容を、第１記憶部１６ａに格納された画像情報の表示から、前記選択された画像に関連付けされた前記位置識別情報に基づく撮影位置の表示へと切り替える切替ステップとを備える方法であると言える。
【０１９６】
ところで、上記実施の形態においては、送受信装置３の装置ＩＤ情報を一旦取得しておき、画像情報が選択されると、選択された画像情報に関連付けされた装置ＩＤ情報を基に、サーバ２から撮影位置情報を取得する構成としたが、これに限定されるものではない。例えば、送受信装置３の装置ＩＤ情報を取得する代わりに、直接、サーバ２から撮影位置情報を取得する構成としてもよい。
【０１９７】
また、ＧＰＳ機能を携帯型電話機７に備えておき、このＧＰＳを用いて位置識別情報を取得してもよい。この場合、位置識別情報として、前記緯度および経度の情報を用いることができる。それゆえ、この場合も、位置識別情報から撮影位置を特定することができる。また、上記ＧＰＳ機能を用いることにより、現在位置情報の取得が行える。
【０１９８】
また、ＧＰＳ機能を備える場合、この機能により撮影位置および現在位置が特定できるため、携帯型電話機７に無線ＬＡＮ通信の機能が必要でない場合には、無線ＬＡＮ通信に関連する携帯型電話機７のブロック（無線ＬＡＮＩＦ部１４および無線ＬＡＮ制御部２２）は特に必要がない。ただし、これらのブロックを設けない場合には、上述したような関連情報の取得が行えなくなる。また、通常、ＧＰＳでは、高度まで判断されないため、建物の何階で撮影を行ったかまでの情報は得られない。それゆえ、上記ブロックが、ＧＰＳ機能と共に設けられていることが好ましい。
【０１９９】
また、撮影位置の特定および現在位置の取得に、携帯型電話機７の電話機能を用いてもよい。この場合、携帯型電話機７は、基地局を介して他の電子機器と通信を行うと共に、前記位置識別情報として前記基地局の識別情報を用いればよい。
【０２００】
この構成では、例えば、無線ＬＡＮに対応するための機器を備えていなくとも、あるいは、全地球測位システムに対応するための機器を備えていなくとも、位置識別情報を取得することができる。
【０２０１】
また、自機器が、無線ＬＡＮに対応するための機器、および／または、全地球測位システムに対応するための機器を備えている場合であっても、無線ＬＡＮを利用できない状況下、あるいは、全地球測位システムを利用できない状況下において、位置識別情報を取得することができる。
【０２０２】
または、携帯型電話機７が電子メール機能を備えている場合には、電子メール機能を用いてもよい。
【０２０３】
以上のように、携帯型電話機７は、必ずしも、無線ＬＡＮ通信の機能やＧＰＳ機能を備えていなくてもよい。
【０２０４】
また、上記においては、電子機器の一例として携帯型電話機を例に挙げたが、電子機器がＰＤＡの場合には、電話機能の代わりにメール機能を用いて、撮影位置の特定および現在位置の取得を行えばよい。
【０２０５】
また、上記実施の形態においては、撮影時に、サーバ２から位置識別情報と共に関連情報も取得する構成であったが、これに限定されない。例えば、関連情報の取得は、携帯型電話機７が位置識別情報に基づいて撮影位置情報を取得するときに行われる構成としてもよい。さらに、関連情報の取得は、位置識別情報の取得時、および、撮影位置情報の取得時の両方の時点で行われる構成であってもよい。
【０２０６】
また、上記実施の形態においては、携帯型電話機７の第３記憶部１６ｃに、予め電子地図を記憶させた構成を示したが、これに限定されるものではない。例えば、携帯型電話機７が、他の装置と通信を行うことにより、随時、電子地図を取得（受信）する構成としてもよい。この構成とすると、携帯型電話機７は、表示に必要となる地図情報のみを一時記憶すればよいため、自機の記憶装置の容量を少なくできる。さらに、前記他の装置が電子地図の更新を行うものであれば、携帯型電話機７は、最新の地図情報を取得することも可能となる。
【０２０７】
また、上記実施の形態においては、現在位置と、選択された画像情報に関連付けられた位置情報に基づく撮影位置とを、同時に表示部１７に表示する構成について説明した（図６参照）。しかしながら、現在位置と撮影位置とが離れており、現在位置と撮影位置とを、電子地図上に同時に表示することができない場合も考えられる。つまり、現在位置から撮影位置までの経路を一つの画面で表示できない場合もある。
【０２０８】
ここで、撮影位置まで、電車等の交通機関の利用が考えられる場合には、現在位置から撮影位置の最寄り駅までの経路と、前記最寄り駅から撮影場所への経路とを別々に表示部１７に表示する構成としてもよい。
【０２０９】
上記現在位置から撮影位置の最寄り駅までの経路の表示は、例えば、現在位置から現在位置の最寄り駅までの経路を電子地図上に表示すると共に、前記現在位置の最寄り駅から撮影位置までの経路を文字データとして表示してもよい。文字データの表示としては、例えば、「Ａ電鉄に乗って２３分。Ｂ駅下車」と表示すればよい。
【０２１０】
また、図１４に示すとおり、上記撮影位置の最寄り駅から撮影位置までの経路を電子地図上に表示する構成の場合、上記現在位置の最寄り駅から撮影位置の最寄り駅までの経路情報（例えば、上記の「Ａ電鉄に乗って２３分。Ｂ駅下車」）を、電子地図上に重畳して表示する構成としてもよい。
【０２１１】
また、撮影対象が商品の場合、サーバ２が、各送受信装置３が管理するホットスポット内の商店がどのような商品を扱っているかを予め記憶し、かつ、該商品についての属性情報を記憶している場合、携帯型電話機７の構成を以下のようにすることもできる。つまり、商品の撮影時に、携帯型電話機７が、サーバ２に記憶された属性情報を受信し、該属性情報を属性入力受付部２３が受け付ける構成としもよい。また、サーバ２に属性情報が複数記憶されており、複数の属性情報がサーバ２から携帯型電話機７に送られてくる場合には、携帯型電話機７において属性情報を選択できる構成とし、該選択した属性情報を属性入力受付部２３が受け付ける構成としてもよい。
【０２１２】
また、商品に属性情報を示す識別子（例えば、バーコード）が付されている場合には、該識別子を読み取り可能なバーコード読取部を携帯型電話機７に設け、ユーザによる属性情報の入力操作の簡略化を図ってもよい。
【０２１３】
また、撮影場所によっては、撮影対象物を管理する管理者等が、撮影対象物の撮影を禁止している場合がある。このような状況下においては、携帯型電話機７のユーザは、通常、撮影対象物の撮影を行えない、あるいは、行わない。しかしながら、このような場合であっても、ユーザによっては、撮影を行ってしまうことがある。さらに、撮影禁止であることを知らないで、撮影を行ってしまうことも考えられる。
【０２１４】
そこで、上記のような場合、サーバ２と携帯型電話機７との間で、以下の処理を行うことが好ましい。まず、上記装置ＩＤ情報を取得するために、撮影位置識別情報取得部２２ａから上記識別情報要求信号をサーバ２に送信すると、サーバ２は、画像情報を削除を促す通知を携帯型電話機７に送信する。さらに、サーバ２は、画像情報を消去した場合、ユーザにとって有益な情報を関連情報として送信する旨の通知を、携帯型電話機７に送信する。
【０２１５】
ここで、携帯型電話機７において上記画像情報を消去した場合、携帯型電話機７は、サーバ２に対して、上記画像情報を消去した旨の通知を送る。そして、この通知をサーバ２が受けた場合、サーバ２が携帯型電話機７に上述した関連情報を送信する。
【０２１６】
以上のような構成とすることにより、撮影禁止である撮影対象についての画像情報の削除を促進させることが可能となる。
【０２１７】
また、本発明に係る電子機器は、撮影対象の属性情報の入力を受け付ける属性入力受付部（属性入力受付手段）２３と、前記属性情報と、前記撮影対象の画像情報と、撮影位置を識別するための位置識別情報とを関連付ける関連付部（関連付手段）２５ａと、前記関連付けられた各情報を第１記憶部１６ａに書き込む書込部（書込手段）２５ｂとを備える構成でもある。
【０２１８】
さらに、本発明の電子機器は、前記属性情報の指定を受け付ける属性指定受付部（属性指定受付手段）２９と、前記指定された属性情報に関連付けられた画像情報を、第１記憶部１６ａから読み出す読出部（読出手段）２６ａと、読出部２６ａで読み出した画像情報を、表示部（表示画面）１７に表示する表示制御部２６とを備える構成でもある。
【０２１９】
ところで、サーバ２は、上述したように、送受信装置３を介して、位置識別情報、撮影位置情報、関連情報、属性情報といった情報を、携帯型電話機７に送る構成である。また、上述したように、サーバ２は、記憶装置２ａおよび送信部２ｂを備えている。
【０２２０】
さらに、サーバ２は、上記記憶装置２ａが、サーバ２が管理する各送受信装置３に関する位置識別情報を記憶し、上記送信部２ｂが、携帯型電話機７からの位置識別情報の要求を受けた場合に、該位置識別情報を携帯型電話機７に送る構成でもある。また、サーバ２は、携帯型電話機７から位置識別情報を受け付けた場合に、上記送信部２ｂが、該位置識別情報に基づく撮影位置情報を携帯型電話機７に送る構成でもある。
【０２２１】
さらに、サーバ（情報管理装置）２は、サーバ２が管理する各送受信装置３に関する各位置情報を記憶する記憶装置（記憶手段）２ａと、前記送受信装置３と通信を行う携帯型電話機（電子機器）７から該送受信装置３に関する位置情報の要求を受けた場合に、前記位置情報を撮影位置情報として携帯型電話機７に送信する送信部（送信手段）２ｂとを備える構成とも言える。
【０２２２】
この構成によれば、上記記憶装置２ａには、サーバ２が管理する各送受信装置３に関する各位置情報が記憶される。また、前記送受信装置３と通信を行う携帯型電話機７から該送受信装置３に関する位置情報の要求を受けた場合に、送信部２ｂにより、前記位置情報を携帯型電話機７に送信することができる。
【０２２３】
したがって、携帯型電話機７は、前記送受信装置３に関する位置情報の要求をサーバ２に対して行った場合、前記位置情報を取得できる。
【０２２４】
また、サーバ２は、前記記憶装置２ａに送受信装置３の装置ＩＤ情報に関連する関連情報を記憶しており、携帯型電話機７が、該サーバ２に対して位置識別情報または撮影位置情報の取得を要求した場合、前記送信部２ｂが携帯型電話機７に対して関連情報を送る構成とすることが好ましい。
【０２２５】
さらに、サーバ２は、無線ＬＡＮを介して、携帯型電話機７と通信を行うと共に、記憶装置２ａは、前記無線ＬＡＮの通信領域に関連する関連情報を記憶し、送信部２ｂは、携帯型電話機７から前記関連情報の要求があった場合、前記関連情報を携帯型電話機７に送信する構成でもある。
【０２２６】
この構成によれば、サーバ２は、無線ＬＡＮを介して携帯型電話機７と通信を行うため、多種多様な情報を携帯型電話機７に送信できる。また、携帯型電話機７から前記関連情報の要求があった場合、送信部２ｂにより、記憶装置２ａに記憶された、無線ＬＡＮの通信領域に関連する関連情報を、携帯型電話機７に送信する。
【０２２７】
したがって、携帯型電話機７は、無線ＬＡＮの通信領域に関連する関連情報の要求をサーバ２に対して行った場合、前記関連情報を取得できる。
【０２２８】
また、携帯電話の機能または電子メール機能を用いて位置識別情報を取得する場合、携帯電話基地局（情報管理装置）４を、携帯電話基地局４が管理する各送受信装置５に関する各位置情報を記憶する基地局側記憶装置（記憶手段）と、前記送受信装置５と通信を行う携帯型電話機（電子機器）７から該送受信装置５に関する位置情報の要求を受けた場合に、前記位置情報を携帯型電話機７に送信する基地局側送信部（送信手段）とを備える構成としてもよい。この場合も、上述したサーバ２と同様の効果を得ることができる。
【０２２９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０２３０】
なお、上記実施形態の携帯型電話機７の制御部１８や各処理ステップ、または、サーバ２の各部や各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の携帯型電話機７またはサーバ２の各種機能および各種処理を実現することができる。また、上記プログラムをリムーバブルな記録媒体に記録することにより、任意のコンピュータ上で上記の各種機能および各種処理を実現することができる。
【０２３１】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０２３２】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０２３３】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０２３４】
また、インターネットを含む通信ネットワークを接続可能なシステム構成であれば、通信ネットワークからプログラムをダウンロードするように流動的にプログラムを担持する記録媒体であることが好ましい。
【０２３５】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【０２３６】
本発明に係る電子機器は、携帯型電話機、通信機能を備えたＰＤＡ等に適用可能である。
【図面の簡単な説明】
【０２３７】
【図１】本実施の形態に係る携帯型電話機の機能ブロックを示した図である。
【図２】本実施の形態に係る通信システムの概略構成を示した図である。
【図３】上記通信システムを構成するサーバの機能ブロックを示した図である。
【図４】上記携帯型電話機の記憶部に格納されるデータを示した図である。
【図５】上記携帯型電話機の表示部における撮影位置情報を示した図である。
【図６】上記表示部において現在位置から撮影位置までの経路を電子地図上に表示した状態を示した図である。
【図７】上記表示部において選択された画像情報も併せて表示した状態を示した図である。
【図８】上記表示部において撮影した画像情報を属性情報の入力画面と共に表示した図である。
【図９】上記表示部において属性情報を階層的に表示した図である
【図１０】属性情報の入力を受け付けると共に、受け付けた属性情報が、新規な属性情報か、あるいは、既に登録した属性情報の下位の属性に入るものであるかを、ユーザに選択させるための表示部における表示例を示した図である。
【図１１】上記表示部において登録された属性情報の一覧を示した図である。
【図１２】上記記憶部に、画像情報等の関連付けされた各情報を格納する処理フローを示したフローチャートである。
【図１３】上記表示部における撮影位置の表示フローを示したフローチャートである。
【図１４】上記表示部において撮影位置の最寄り駅から撮影位置までの経路を電子地図上に表示した図である。
【符号の説明】
【０２３８】
１  通信システム
２  サーバ（情報管理装置）
２ａ  記憶装置（記憶手段）
２ｂ  送信部（送信手段）
３  送受信装置
４  携帯電話基地局（情報管理装置・通信基地局）
５  送受信装置
７  携帯型電話機（電子機器）
１１  操作部
１５  撮影部
１６  記憶部
１６ａ  第１記憶部
１６ｂ  第２記憶部
１６ｃ  第３記憶部
１７  表示部（表示画面）
１８  制御部
２１  撮影制御部
２２  無線ＬＡＮ制御部（特定情報取得手段）
２２ａ  撮影位置識別情報取得部（位置識別情報取得手段）
２２ｂ  関連情報取得部（関連情報取得手段）
２３  属性入力受付部（属性入力受付手段）
２４  属性情報読出部（属性情報読出手段）
２５  格納部（格納手段）
２５ａ  関連付部
２５ｂ  書込部
２６  表示制御部（表示制御手段）
２６ａ  読出部
２６ｂ  切替部
２７  選択部（選択手段）
２８  現在位置取得部（現在位置取得手段）
２９  属性指定受付部（属性指定受付手段）
【図１】
2006072580.tif 000003
【図２】
2006072580.tif 000004
【図３】
2006072580.tif 000005
【図４】
2006072580.tif 000006
【図５】
2006072580.tif 000007
【図６】
2006072580.tif 000008
【図７】
2006072580.tif 000009
【図８】
2006072580.tif 000010
【図９】
2006072580.tif 000011
【図１０】
2006072580.tif 000012
【図１１】
2006072580.tif 000013
【図１２】
2006072580.tif 000014
【図１３】
2006072580.tif 000015
【図１４】
2006072580.tif 000016